(57)【要約】【課題】従来の尿パットは、頻繁に取り替えない限り陰茎と陰のう部分が尿で常に濡れることで、陰のうがただれたり、かぶれたりするので、仕切りパットにより陰茎と陰のうを別けて陰のうが濡れるのを防ぐことができる補助サポーターを提供する。【解決手段】男性の陰部を覆う逆三角状の仕切りパット３を防水シート２で形成し、その仕切りパット３の上辺に、腰に結び付けられる長さの紐８を取り付け、下端部に、通し穴６付き連結帯７を取り付けた前記仕切りパット３の中ほどに、陰茎Ｂを収められる開口穴４を設けた男性用尿パットの補助サポーター１とする。【選択図】図１
2007167596.tif 000002
【特許請求の範囲】
【請求項１】
一般的な尿パットと組み合わせて使用する補助サポーターであって、男性の陰部を覆う逆三角状の仕切りパットを防水シートで形成し、その仕切りパットの上辺に腰に結び付けられる長さの紐を取り付け、下端部に通し穴を有する連結帯を取り付けた前記仕切りパットの中ほどに、陰茎を収めることができる開口穴を設けて成る構成を特徴とする男性用尿パットの補助サポーター。
【請求項２】
上記する仕切りパットに設けた開口穴の縁部に、短い切れ目を設けた請求項１に記載する男性用尿パットの補助サポーター。
【請求項３】
上記する仕切りパットの外側面が、布地で形成して成る請求項１又は請求項２に記載する男性用尿パットの補助サポーター。
【請求項３】
上記する仕切りパットが、外側を吸水材を収めた吸水面を形成して成る請求項１又は請求項２に記載する男性用尿パットの補助サポーター。
【発明の詳細な説明】
【技術分野】
【０００１】  本発明は、一般的に使用される男性用尿パットと組み合わせて使用することで、陰茎と陰のうを別けるとともに陰のうが濡れるのを効果的に防いで、通常の仕事や軽い運動、自転車に乗っても股ズレやただれ、痛みを防止できる機能的な補助サポーターに関する。
【背景技術】
【０００２】  従来より、寝たきり生活者用のための男性用尿パットがいくつか提供されており、通常はオムツと組み合わせて使用している。一般的に多用される尿パットは、外側面に防水シートを備えた内側面に吸水材を収めた長方形状の尿パットを陰部に当てがってから、その外側をオムツで包んで使用している。【０００３】  また、外側を防水性とし、内側を吸水材で形成して成る陰茎を収められる筒状の尿漏れ処理用パットの技術もある。（例えば、特許文献１参照）【０００４】  さらに吸水性のパットの内側に、陰茎を収められるポケットを設けた男性用の尿取りパットの技術もある。（例えば、特許文献１参照）
【特許文献１】特開平８−５２１６９公報（第２−４頁、図１）
【特許文献２】特開２００１−４６４公報（第２−３頁、図１）
【発明の開示】
【発明が解決しようとする課題】
【０００５】  上記するような男性用尿パットや技術が提供されており、それぞれ一定の効果や目的を果たしている。しかし一般的に多用されている長方形状の尿パットは、寝たきり生活者において、介護人がついて適宜に取り替えられる場合は特に問題はないが、陰部に関係する病気や疾病を持ちながらも、仕事はもとより軽い運動や自転車に乗るなど通常生活を行う人の場合は、前記するような一般的な尿パットを使用した場合、尿を吸い取ることはできるが、時間が経つとまるで濡れ座布団を陰部に巻いている感じになることはもとより、陰茎と陰のう（睾丸）が尿で常に濡れるため、ただれたりかぶれたりし、時には皮が剥けて痛むこともあり、これは経験した者でないと分からないほど大変なことであった。そのため本人自身が工夫して陰茎と陰のうを別ける工夫をしたり、頻繁に取り替えたりするが、仕事の場合や遠出をする時はそれもできないで我慢しなければならなつた。また、陰のうを尿で濡れるのを防止できる尿パット用の関連商品や具体的な技術もなかった。【０００７】  次に、特開平８−５２１６９公報による尿漏れ処理用パットは、尿の量がそれほど多くない場合はよいが、尿の量や回数が多かったり、長時間使用した場合は溢れたりし、また筒状であるため腹部に常に圧力が加わるので違和感があるため、仕事や通常の生活をするうえでは使いにくい尿パットであった。さらに、寝た状態での使用時はよいが、尿を吸収した場合は重くなるので、立って動いている場合はズレたりして陰茎から抜け落ちるなどの不便や欠点がある尿パットであった。【０００８】  さらに特開２００１−４６４公報に示す男性用の尿取りパットは、ポケットに陰茎を収めて包み込む尿パットであるが、尿の量が多いと膨らむので股部分に不快感を与えるととともに、歩く際はズボンの中でゴロゴロして歩きにくい。また動き回るうちにテープなどが剥れてズレたりするので、仕事や日常生活を行う者にとっては使いにくい尿パットであった。
【課題を解決するための手段】
【０００９】  本発明は上記するような不便や欠点を解消するために、請求項１においては、男性の陰部を覆う逆三角状の仕切りパットを防水シートで形成し、その仕切りパットの上辺に腰に結び付けられる長さの紐を取り付け、下端部には、通し穴を有する連結帯を取り付けて成る前記仕切りパットの中ほどに、陰茎を収められる開口穴を設けた補助サポーターとすることで、ビキニ状の仕切りパットで陰のうを覆うことで尿で濡れるのを防ぐとともに陰茎と擦れるの防ぐ補助サポーターとする。【００１０】  請求項２においては、上記する仕切りパットに設けた開口穴の縁部に、短い切れ目を設けることで陰茎のサイズに関わりなく装着できるものとする。【００１１】  請求項３においては、上記する仕切りパットの外側面に布地を設けることで、尿パッドとともに吸水効果も得られる仕切りパットとする。【００１２】  請求項４においては、上記する仕切りパットが、防水シートの表側を吸水面とする内部に吸水材を収めることで、組み合わせる一般の尿パットと同様に尿を保持することができる補助サポーターとする。
【発明の効果】
【００１３】  本発明における尿パット用の補助サポーターは、三角の防水シートに紐と連結帯を取り付けたビキニ状を成す仕切りパットに、男性の陰茎が収まる開口穴を設けているので、使用する際は、この補助サポーターを装着して陰茎を開口穴から出して後に通常の尿パットを当てがい、その外側にオムツもしくは下着を着けると、陰茎と陰のうは分離されるので、例え、尿の量が多くても陰のうが濡れることがないうえ陰茎と擦れ合わないので、ただれたり、股ズレや痛みなどの要因を完全に防げるユニークな尿パット用の補助サポーターとして使える。【００１４】  また、開口穴の周囲には短い切れ目を設けているので、陰茎のサイズに関わらず対応できる。さらに実施例１及び２タイプは防水シートのみ又は内側面に防水シートを付けた布地製であるので汚れたら洗って繰り返し使うことができるうえ、実施例２タイプは外側面が布地であるので、尿パットで吸い切れない尿を吸収する効果も得られる。また実施例３タイプは吸収材を有する使い捨てタイプであるので、使用者や介護者の好みや目的に応じて使い分けられる。【００１５】  加えて、いずれのタイプも一般の尿パットや下着と組み合わせて使えるうえ、紐で腰に結び付けられるので、寝たきり生活者はもとより、仕事や軽い運動、散歩など行動的に動く人が使用してもズレ落ちたりせず、トイレで用を足す時でも取り外す面倒はないなど、今までに見られないユニークにして機能的な補助サポーターであるので、陰部関係の疾患を持つ人でも気にすることなく、通常の生活を過ごすことができるきわめて効果的な尿パットの補助サポーターを提供することができる。
【発明を実施するための最良の形態】
【００１６】  一般の尿パットと組み合わせて使う際に、陰茎と陰のうを分離し、かつ、陰のうが濡れるのを防ぐために、ビキニ状の防水仕切りパットの中ほどに、陰茎を通せる大きさの開口穴を設けた補助サポーターとする。
【実施例１】
【００１７】  本発明による実施例１の補助サポーターを図１に示す斜視図と図２に示す人体に装着した参考図、図３の下着と尿パットを組み合わせた使用状態を示す拡大参考断面図で説明する。この補助サポーター１の素材は柔軟で、かつ丈夫な防水シート２とし、その防水シート２により三角状の仕切りパット３を形成し、その仕切りパット３の中ほどの下部位に開口穴４を設けるとともに、その開口穴４の上部斜め方向に二本の切れ目５，５を設ける。次に前記した仕切りパット３の上部辺に通し穴６を設けるとともに、下部に一定の長さの連結帯７を取り付けた端部に通し穴６を設けて成る、前記仕切りパット３の通し穴６に紐８を通した一方を、前記する連結帯７の通し穴６に通して実施例１の補助サポーター１を構成する。【００１８】  実施例１の補助サポーター１は、柔軟な防水シート２で形成する三角状の仕切りパット３の中ほどに開口穴４を設け、その上部に紐８を、下部に連結帯７を取り付けたビキニ状を成すので、図２に示すように男性の陰部を覆うように装着すると、陰茎Ｂは仕切りパット３の開口穴４から外側に位置して陰茎Ｂと陰のうＣとを別けられる。また、開口穴４の上部には切れ目５を設けているので陰茎Ｂのサイズに関わらず収まる。以上のように補助サポーター１を装着したうえで、寝たきり生活者の場合は一般的な尿パットＡを当てがい、その外側をオムツで包む。他方、仕事や運転、旅行など通常の生活をする人の場合は、図３に示すように尿パットＡを重ねた上にブリーフやパンツなどの下着Ｄとともにズボンを着けると、いずれの場合も陰茎Ｂと陰のうＣを防水性の仕切りパット３で別けて陰のうＣを覆うことができる補助サポーター１となる。
【実施例例２】
【００１９】  実施例２の補助サポーターを図４に示す一部欠損した斜視図で説明する。実施例２の補助サポーター１の基本形態は実施例１と同じであるが、下部に切れ目５付き開口穴４を設けた仕切りパット３は布地９で形成し、その布地９による仕切りパット３の背面に防水シート２を設けた前記仕切りパット３の上部左右に紐８を取り付け、下部には、端部に通し穴６付き連結帯７を取り付けて成る補助サポーター１を構成する。尚、本実施例は全部を布地９で形成した仕切りパット３の裏面に防水シート２を設けているが、反対に全部を防水シート２で形成したうえで、仕切りパット３の表面に布地９を設けても差し支えない。
【００２０】  実施例２の補助サポーター１の基本形態は実施例１と同じであるが、全体を布地９で形成した仕切りパット３の裏面に防水シート２を設けた補助サポーター１を形成するので、装着した際に外側に組み合わせる尿パットＡから多少尿が漏れても布地９面で吸水効果も得られるとともに、布地９は一枚であるので洗って繰り返し使える補助サポーター１である。
【実施例３】
【００２１】  実施例３の補助サポータを図５に示す一部欠損した斜視図と図６に示す一部省略した仕切りパットの背面図で説明する。実施例３の補助サポーター１におけるは仕切りパット３は、切れ目５付き開口穴４を設けることは前記した各実施例と同じであるが、その仕切りパット３は、外側を吸水面１０とする内部に吸水材１１を収めた内側面に防水シート２を設け仕切りパット３を形成し、その仕切りパット３上辺左右に紐８，８を取り付け、下部に通し穴６付き連結帯７を取り付け補助サポーター１を構成する。【００２２】  実施例３における仕切りパット３は外側が吸水材１１を収めた吸水面１０とし、内側に防水シート２を設けた仕切りパット３を形成するので、陰茎Ｂと陰のうＣを別けて陰のうを保護することはもとより、外側は一般の尿パットと同様に吸水効果の高い補助サポーター１となる。尚、使用する際は必ず一般の尿パットＡと組み合わせ使うので、仕切りパット３の内部に収める吸水材１１は薄手がよい。また本実施例は吸水材１１を設けているので使い捨てタイプとなる。【００２３】  本発明による仕切りパット３に設ける開口穴４の上部に切れ目５は斜め上方向であるが、横方向に付けても差し支えないし、その本数が多くても構わない。さらに、仕切りパット３に設ける紐８は、ゴム紐でも普通の紐でも差し支えないものであり、いずれも特に限定されるものではない。
【図面の簡単な説明】
【００２４】
【図１】本発明の実施例１の補助サポーターを示す斜視図である。
【図２】実施例１の補助サポーターを人体に装着した状態の参考図である。
【図３】実施例１の補助サポーターに、尿パットと下着を組み合わせた使用状態の拡大断面を示す参考図である。
【図４】実施例２の補助サポーターを示す一部欠損した斜視図である。
【図５】実施例３の補助サポーターを示す一部欠損した斜視図である。
【図６】実施例３の補助サポーターを示す一部省略した背面図である。
【符号の説明】
【００２５】  １  補助サポーター
２  防水シート
３  仕切りパット
４  開口穴
５  切れ目
６  通し穴
７  連結帯
８  紐
９  布地
１０  吸水面
１１  吸水材
Ａ  尿パット
Ｂ  陰茎
Ｃ  陰のう
Ｄ  下着
【図１】
2007167596.tif 000003
【図２】
2007167596.tif 000004
【図３】
2007167596.tif 000005
【図４】
2007167596.tif 000006
【図５】
2007167596.tif 000007
【図６】
2007167596.tif 000008
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
一般的な尿パットと組み合わせて使用する補助サポ−タ−であって、男性の陰部を覆う逆三角状の仕切りパットを防水シ−トで形成し、その仕切りパットの上辺に腰に結び付けられる長さの紐を取り付け、下端部に通し穴を有する連結帯を取り付けた前記仕切りパットの中ほどに、陰茎を収めることができる開口穴を設けて成る構成を特徴とする男性用尿パットの補助サポ−タ−。
【請求項２】
上記する仕切りパットに設けた開口穴の縁部に、短い切れ目を設けた請求項１に記載する男性用尿パットの補助サポ−タ−。
【請求項３】
上記する仕切りパットの外側面が、布地で形成して成る請求項１又は請求項２に記載する男性用尿パットの補助サポ−タ−。
【請求項４】
上記する仕切りパットの外側面が、吸水材を収めた吸水面を形成して成る請求項１又は請求項２に記載する男性用尿パットの補助サポ−タ−。